(57)【特許請求の範囲】
【請求項１】
リモコンから出力されたリモコン信号を受けて所定の動作を実行するカメラであって、
被写体までの距離を測距する測距手段と、
前記リモコンから出力されたリモコン信号を受けて前記被写体を撮影する撮影手段と、
前記リモコン信号の到達可能距離を記憶する記憶手段と、
前記リモコンから出力されたリモコン信号を受けたときに、前記測距手段によって測距された被写体までの距離が前記記憶手段に記憶されているリモコン信号の到達可能距離よりも大きい場合には、前記リモコン信号に拘わらず、前記撮影手段を強制的に不作動として前記被写体の撮影を制限する制限手段とを有することを特徴とするカメラの制御装置。
【請求項２】
前記制限手段を機能させるか機能させないかを選択するモードスイッチをさらに備え、
前記制限手段は、前記モードスイッチにより前記制限手段を機能させることが選択されているときにのみ機能する請求項１記載のカメラの制御装置。
【請求項３】
前記測距手段は、複数の測距エリア内の被写体についてそれぞれ測距する機能を有し、前記測距手段が測距した被写体までの距離の内、最近距離の被写体に対して合焦させる合焦手段をさらに備え、前記制限手段は、前記撮影手段が前記リモコンからリモコン信号を受けたときに、前記測距手段が測距した距離の内、最近距離と前記記憶手段に記憶されている到達可能距離とを比較し、最近距離の方が到達可能距離よりも大きい場合には、前記撮影手段を強制的に不作動として前記被写体の撮影を制限する請求項１または２記載のカメラの制御装置。
【請求項４】
前記撮影手段が、無限遠に合焦させる遠景モードに設定されている場合には、前記制限手段は前記機能を停止する請求項１から３のいずれか一項記載のカメラの制御装置。
【請求項５】
前記制限手段が前記撮影手段を強制的に不作動として前記被写体の撮影を制限している状態を表示する表示手段をさらに備えた請求項１から４のいずれか一項記載のカメラの制御装置。
【発明の詳細な説明】
【０００１】
【発明の技術分野】
本発明は、リモコンを用いて撮影（リモコン撮影）する場合、被写体までの距離とリモコンから送られるリモコン信号の到達可能距離との比較結果によって露光を制御するカメラの制御装置に関する。
【０００２】
【従来技術およびその問題点】
従来、複数の測距エリアについて測距可能なカメラにおいてリモコンを用いて撮影する場合、複数の測距エリアによってそれぞれ得られた被写体までの距離の内、最も近い距離が検出された被写体をリモコンを用いている人間であるとみなして合焦させ、撮影している。
したがって、例えば、被写体であるリモコン使用者が測距不能な状態である一方、リモコン使用者よりも遠くにある背景が測距可能であったような場合には、その背景を最も近くにある被写体（リモコンを用いている人間）であるとみなしてその背景に合焦し、撮影することになる。
【０００３】
しかしながら、このような従来のリモコン撮影においては、複数の測距エリアによる測距データのみから被写体の判断をしているために、上例のように、背景をリモコンを用いている人物であると誤った判断をする場合があり、このような誤判断がされると、肝心の人物がぼやけて写ってしまうことになる。
【０００４】
【発明の目的】
本発明は、以上のような従来の不具合を解消するためになされたものであり、リモコン撮影する場合、被写体までの距離とリモコンから送られるリモコン信号の到達可能距離との比較結果によってシャッタの駆動を制御するカメラの制御装置の提供を目的とする。
【０００５】
【発明の概要】
リモコン撮影をするとき、通常はリモコン使用者が被写体であることを考えると、前記測距データに加え、カメラからリモコンまでの距離データ（具体的にはリモコンから送られるリモコン信号の到達可能距離）を考慮して撮影するようにすれば、前記のように背景に合焦されたまま撮影されてしまうようなことがなくなるはずである。
かかる観点に基づいてなされた請求項１記載の発明はリモコンから出力されたリモコン信号を受けて所定の動作を実行するカメラであって、被写体までの距離を測距する測距手段と、前記リモコンから出力されたリモコン信号を受けて前記被写体を撮影する撮影手段と、前記リモコン信号の到達可能距離を記憶する記憶手段と、前記リモコンから出力されたリモコン信号を受けたときに、前記測距手段によって測距された被写体までの距離が前記記憶手段に記憶されているリモコン信号の到達可能距離よりも大きい場合には、前記リモコン信号に拘わらず、前記撮影手段を強制的に不作動として前記被写体の撮影を制限する制限手段とを有すること、に特徴を有する。
本発明は、前記制限手段を機能させるか機能させないかを選択するモードスイッチをさらに設け、前記制限手段は、前記モードスイッチにより前記制限手段を機能させることが選択されているときにのみ機能する構成にできる。
前記測距手段は、複数の測距エリア内の被写体についてそれぞれ測距する機能を有し、前記測距手段が測距した被写体までの距離の内、最近距離の被写体に対して合焦させる合焦手段をさらに備え、前記制限手段は、前記撮影手段が前記リモコンからリモコン信号を受けたときに、前記測距手段が測距した距離の内、最近距離と前記記憶手段に記憶されている到達可能距離とを比較し、最近距離の方が到達可能距離よりも大きい場合には、前記撮影手段を強制的に不作動として前記被写体の撮影を制限する。
前記撮影手段が無限遠に合焦させる遠景モードに設定されている場合には、前記制限手段は前記機能を停止させる。
さらに前記制限手段が前記撮影手段を強制的に不作動として前記被写体の撮影を制限していることを表示する表示手段を設けることが望ましい。
【０００６】
【発明の実施の形態】
以下、本発明にかかるカメラの制御装置を、図面に基づいて詳細に説明する。
本発明の一実施の形態であるカメラの制御装置は、リモコン撮影時、複数の測距エリアによって測距された被写体までの測距データのうち、最も近い測距データを選択し、選択された被写体までの前記測距データ、すなわち被写体であるとみなした被写体までの距離と、予め記憶されているリモコンから送られるリモコン信号の到達可能距離とを比較して、主要被写体であるとみなした被写体までの距離がリモコンから送られるリモコン信号の到達可能距離よりも遠い場合には、被写体の信憑性が疑われる（主要被写体がリモコン使用者でない可能性が高い）ので、強制的にレリーズロックをかけて撮影できないようにし、セルランプを点滅させその旨を表示する。ただし、遠景モードが選択されている場合には、このような制御は行わない。
【０００７】
図１は、本実施の形態のカメラの制御装置が搭載されたカメラの外観図であり、（Ａ）はそのカメラの正面を、（Ｂ）はそのカメラの上面を、（Ｃ）はそのカメラの背面をそれぞれ示している。
【０００８】
図１（Ａ）に示してあるように、このカメラ１０正面側には、ほぼ中央下寄りにズームレンズ１１が設けられている。ズームレンズ１１の上方にファインダ窓１２が設けられ、その右隣に測光窓１３が設けられ、この測光窓１３から入射した被写体光が測光センサ５３（図３参照）に導かれて被写体の輝度が測定される。また、リモコン受光部１４は、図２に示すリモコン４０から赤外線で送られるリモコン信号（レリーズ信号）を図示しない赤外線センサによって検出する。
【０００９】
セルフランプ１６は、測距された被写体までの距離がリモコン信号到達距離よりも遠い場合に点滅、近い場合に点灯するインジケータとしての機能を有しているランプである。このセルフランプ１６は表示手段として機能する。
パッシブＡＦセンサ部１８は、いわゆる三角測距法の原理に基づいてカメラ１０から被写体までの距離（被写体距離または撮影距離）を測定するパッシブＡＦセンサであり、複数の測距エリア内の被写体までの距離を独立して測定可能なマルチＡＦセンサ５５（図３参照）を備えている。合焦に使用される測距データは、この複数の測距エリアについての測距データの内、最も近距離に相当する測距データである。このマルチＡＦセンサ５５は、測距手段として機能する。
ＡＦ補助投光部２０は、周囲が暗いため、マルチＡＦセンサ５５によって被写体までの測距がうまくできないような場合に、その測距を補助するための補助光を投光する部分である。ストロボ発光部２２は、周囲が暗い場合に、撮影を補助するためのストロボ光を投光する部分である。
【００１０】
図１（Ｂ）に示すように、このカメラ１０の上面には、レリーズボタン２４が設けられている。このレリーズボタン２４は、半押しと全押しができるようになっており、半押しの状態では、測光、測距など撮影に必要な準備をする。一方、レリーズボタン２４が全押しされると、合焦手段により焦点調節レンズ群が合焦位置まで移動し、絞り、シャッタが作動し、フィルムに露光され、フィルムが巻き上げられる。また、モードスイッチ２６は、カメラ１０を本発明の機能を用いた動作をさせるかその逆に本発明の機能を用いない動作をさせるかの選択をするスイッチである。
【００１１】
図１（Ｃ）に示すように、このカメラ１０の背面部にはファインダアイピース２８が設けられている。このファインダアイピース２８は、撮影の構図などを決めるために覗かれる開口部である。ファインダアイピース２８の右側に縦に並んで設けられている緑ランプ３０および赤ランプ３２は、インジケータとして機能するランプであり、本実施の形態では、緑ランプ３０を、遠景モードが選択されている場合に点灯させ、赤ランプ３２を、内蔵ストロボの充電が完了したときに点灯させている。
【００１２】
図２は、リモコンの外観図である。リモコン４０には、カメラ１０にシャッタの駆動を指示するレリーズボタン４２と、このレリーズボタン４２が押された場合に、赤外線によりリモコン信号（レリーズ信号）を出力する赤外線照射窓４４とが設けられている。したがって、レリーズボタン４２が押されると、赤外線照射窓４４からリモコン信号である赤外線が照射され、この赤外線がカメラ１０のリモコン受光部１４に入射し、リモコン撮影が行われる。
【００１３】
図３は、本発明に係るカメラの制御装置の具体的な構成を示すブロック図である。
図中の電源スイッチ５０は、カメラ１０を機能させるためのメインスイッチ（図１（Ｃ）のＯＮ、ＯＦＦスイッチ）である。モードスイッチ２６は、図１（Ｂ）に示したスイッチである。測光スイッチＳＷＳとレリーズスイッチＳＷＲは、レリーズボタン２４に連動するスイッチであって、レリーズボタン２４の半押しで測光スイッチＳＷＳがＯＮし、全押しでレリーズスイッチＳＷＲがＯＮする。
【００１４】
リモコン受信回路５２は、図示しない赤外線センサからの信号に基づいてリモコン４０から照射される赤外線（リモコン信号）を検出する回路であり、測光回路５４は、カメラ１０の測光窓１３（図１の（Ａ）参照）に入射した光に基づいて被写体の輝度を測定する回路である。
【００１５】
測距回路５６は、パッシブＡＦセンサ部１８に設けられているマルチＡＦセンサ５５からの信号に基づいて、複数に分割されている測距エリア内の被写体までの距離を測距する回路である。この測距回路５６は、測距手段として機能する。ストロボ回路５８は、カメラ１０のストロボ発光部２２（図１の（Ａ）参照）を発光させる回路である。ＡＦ補助投光部２０（図１の（Ａ）参照）はＣＰＵ１００からの信号によって発光される。
【００１６】
フォーカスレンズ駆動回路６０は、測距回路５６によって測距された被写体までの距離に応じてフォーカスモータ６２を回転させ、カメラ１０の焦点調節レンズを駆動して被写体に合焦させる回路である。シャッタ駆動回路６４は、カメラ１０のレリーズスイッチＳＷＲがＯＮしたとき（レリーズボタンが全押しされた状態）またはリモコン４０のレリーズボタン４２が押されたときなどにシャッタモータ６６を回転させ、シャッタを切る回路である。フォーカスレンズ駆動回路６０およびシャッタ駆動回路６４は、撮影手段として機能する。
【００１７】
緑ランプ３０および赤ランプ３２は、カメラ１０のファインダ２８の右側に設けられているランプ（図１（Ｃ）参照）であり、前記したように、遠景モードに設定されている場合などを示すインジケータとして機能するランプである。このランプ３０、３２はＣＰＵ１００からの信号によって点灯される。
【００１８】
セルフランプ１６は、セルフ撮影モード時の表示の他に、測距した被写体距離がリモコン信号到達圏内にあるか圏外にあるかを表示するインジケータとしての機能を有しているランプ（図１の（Ａ）参照）である。図４に模式的に示したように、測距回路５６によって測距された被写体までの距離が、予めEEPROM１０２に記憶させてある、リモコンから送られるリモコン信号の到達可能距離よりも遠い場合（リモコン信号到達距離範囲外）には点滅し、または測距回路５６によって測距された被写体までの距離がリモコンから送られるリモコン信号の到達可能距離よりも近い場合（リモコン信号到達距離範囲内）には点灯する。このセルフランプ１６も、ＣＰＵ１００からの信号によって点灯、点滅制御される。
したがって、リモコン撮影するときには、リモコン４０を持つ被写体となる人がセルフランプ１６の点灯を確認した状態で、リモコン４０のレリーズボタン４２を全押しすれば、失敗のないリモコン撮影をすることができ、また、セルフランプ１６の点滅で撮影されないことが確認できる。
【００１９】
ＣＰＵ１００は、図３に示すように、これに接続されている全ての入力機器（各種センサやスイッチなど）から信号を入力し、記憶されているプログラムに基づいて、接続されている個々の出力機器（各種回路やランプなど）の動作を制御するものであり、測距手段、撮影手段、制限手段などとして機能する。EEPROM１０２は、リモコンから送られるリモコン信号の到達可能距離の記憶手段として機能する。
【００２０】
本発明に係るカメラの制御装置の概略の構成は以上の通りであるが、次に、その具体的な動作をフローチャートに基づいて詳細に説明する。
図５は、本発明に係るカメラの制御装置のメインフローチャートであり、図６は、図５のメインフローチャートの内の測距処理のサブルーチンを示すフローチャートである。なお、これらのフローチャートは、本発明を機能させるモード、すなわち、モードスイッチ２６がリモコンモードをＯＮしている状態で処理されるフローチャートである。したがって、モードスイッチ２６がＯＮされているときには、ＣＰＵ１００が制限手段として機能し、ＯＦＦされているときには、制限手段としては機能しない。
【００２１】
図５のメインフローチャートによって示された撮影処理は、レリーズボタン２４の半押し操作（測光スイッチＳＷＳのオン）またはリモコン４０の押しボタン４２の半押し操作（測距操作）によってスタートする処理である。撮影処理がスタートすると、カメラ１０の測光窓１３から入射した被写体光を受光した測光センサ５３からの信号に基づいてＣＰＵ１００は被写体の輝度を演算する（Ｓ１）。カメラが遠景モードに設定されている場合には（Ｓ２；Ｙ）、焦点調節レンズ群を無限遠合焦位置まで移動させるためのレンズ駆動データ（ＬＬデータ）を設定し（Ｓ３）、緑ランプ３０を点灯する（Ｓ４）。遠景モードが選択されている場合には、ＣＰＵ１００は制限手段としては機能しなくなる。
【００２２】
そして、時間計測用のタイマーを作動させ（Ｓ１３）、リモコン４０からレリーズ信号（押しボタン４２が全押しされたときに出力される）が出力されておらず、かつレリーズスイッチＳＷＲがＯＮされていなければ（Ｓ１４；Ｎ）、タイムアップするまでリモコン４０からレリーズ信号が出力されるか、レリーズスイッチＳＷＲがＯＮされるのを待つ。
【００２３】
リモコン４０からレリーズ信号が出力されるか、レリーズスイッチＳＷＲがＯＮされると（Ｓ１４；Ｙ）、緑ランプ３０と赤ランプ３２を消灯して（Ｓ１６）、露出制御処理をする。すなわち、ＣＰＵ１００は、設定されたＬＬデータに基づいてフォーカスレンズ駆動回路６０を動作させフォーカスモータ６２を動かして無限遠に合焦させ、シャッタ駆動回路６４を動作させシャッタモータ６６を動かしてシャッタを切り、フィルムを１枚巻き上げてリターンする（Ｓ１７、Ｓ１８）。Ｓ１８のステップにおいて、フィルムの残量がなかったときはフィルムを全て巻き戻す。
【００２４】
一方、遠景モードに設定されていない場合には、被写体までの距離を測距する測距処理をする。この測距処理の詳しい処理は図６のフローチャートで説明するが、概略は次のような処理がされる。すなわち、複数の測距エリアによって測距された被写体までの測距データのうち、最も近い測距データを選択して被写体までの距離とする（Ｓ５）。
【００２５】
次に、ＡＥ演算処理をして被写体の露光量を演算し（Ｓ６）、Ｓ５のステップでの処理において、測距不能、有効な被写体の距離が得られなかったなどの理由によって被写体までの距離が確定できずに測距エラーとなってしまった場合（Ｓ７；Ｙ）、または、Ｓ５のステップでの処理において、被写体であるとみなした被写体までの距離と、予めEEPROM１０２に記憶されているリモコンから送られるリモコン信号の到達可能距離（例えば１５ｍ）とを比較して、被写体であるとみなした被写体までの距離がリモコンから送られるリモコン信号の到達可能距離よりも遠い場合（Ｓ８）には、主要被写体であると認識したその被写体の信憑性が疑われるので、ＣＰＵ１００はセルフランプ１６を一定の周期で点滅させ（Ｓ９）、一定の時間経過した後に消灯する（Ｓ１０）。
【００２６】
一方、Ｓ５のステップでの処理において、被写体の測距が行われ測距エラーとならず（Ｓ７；Ｎ）、Ｓ５のステップでの処理において、被写体であるとみなした被写体までの距離と、予め記憶されているリモコンから送られるリモコン信号の到達可能距離とを比較して、被写体であるとみなした被写体までの距離がリモコンから送られる信号の到達可能距離よりも近い場合（Ｓ８）には、ＣＰＵ１００はセルフランプ１６を点灯して（Ｓ１１）、一定の時間経過後に消灯する（Ｓ１２）。そして、タイマーをスタートし（Ｓ１３）、リモコンレリーズ信号を受信するか、レリーズスイッチＳＷＲがＯＮしたら（Ｓ１４；Ｙ）、緑ランプ３０と赤ランプ３２を消灯して（Ｓ１６）、露出制御処理をし、フィルムを巻き上げる（Ｓ１７、Ｓ１８）。すなわち、ＣＰＵ１００は、選択した測距データに基づいてフォーカスレンズ駆動回路６０を動作させフォーカスモータ６２を動かして被写体に合焦させ、シャッタ駆動回路６４を動作させシャッタモータ６６を動かしてシャッタを切り、フィルムを１枚巻き上げる。フィルムの残量がなければフィルムを全て巻き戻す。
【００２７】
したがって、リモコン４０を用いて撮影する場合、リモコン使用者は、セルフランプ１６の点滅状態を見て、少なくとも自分に合焦されていないことを認識でき、自分の立ち位置を変えてみるなどして、セルフランプ１６の点灯状態により最終的に自分への合焦を確認してからリモコン撮影することが可能となる。
次に、図５のメインフローチャートの内の測距処理を、図６のフローチャートに基づいて説明する。
【００２８】
マルチＡＦセンサ５５を介して測距される領域は例えば６つの測距エリアに分割され、被写体までの距離はそれぞれのエリアで独自に検出される。また、被写体の輝度は測光窓１３を介して分割測光センサ５３で検出される。
ＣＰＵ１００は、予め設定されている設定データ（ＡＦ補助投光部２０から補助投光をすべきかどうかの判断基準となる発光データ）を読み込み（Ｓ３１）、この設定データと複数のエリア（例えば２つまたは３つのエリア）でそれぞれ検出された被写体の輝度の内、メインとして選択された測光値（メイン測光値）と設定データとを比較し（Ｓ３２）、メイン測光値が設定データよりも大きければ、被写体の輝度は測距するに際して十分であるので、ＡＦ補助投光部２０から補助投光を照射せず、メイン測光値が設定データ以下であれば、ＡＦ補助投光部２０から補助投光を照射する（Ｓ３３、Ｓ３４）。
【００２９】
次に、ＣＰＵ１００は、カウンタｉの値を０に設定し（Ｓ３５）、マルチＡＦセンサ５５をリセットする（Ｓ３６）。
ＣＰＵ１００は、前記した６つの測距エリアの内、第１の測距エリアを設定し（Ｓ３７）、そのエリアのセンサデータを入力してそのエリアにおける被写体までの距離を演算する（Ｓ３８、Ｓ３９）。Ｓ３７からＳ３９までの処理を第１の測距エリアから第６の測距エリアまでの全ての測距エリアについて行い（Ｓ４０）、６つの測距エリアによって測距された被写体までの測距データのうち、最も近い測距データを選択する（Ｓ４１）。
【００３０】
次に、ＣＰＵ１００は、カウンタの値が０であれば（Ｓ４２）、カウンタｉの値をインクリメントして１に設定し（Ｓ４３）、Ｓ３７からＳ３９までの処理において、第１の測距エリアから第６の測距エリアまでの全ての測距エリアで測距エラーになったとき（被写体までの距離が求まらない）には、換言すれば、いずれの測距エリアでも被写体までの距離が求まらなかったときには（Ｓ４４；Ｙ）、ＡＦ補助投光部２０から補助投光を照射して（Ｓ４５）、Ｓ３６からＳ４２までの処理をする。つまり、補助投光を照射して、もう一度被写体に対する測距を行う。
【００３１】
第１回目の測距（ｉ＝０のとき）において、いずれの測距エリアについても被写体までの距離が求まらず、（Ｓ４２；ｉ＝０、Ｓ４３、Ｓ４４；Ｎ）、第２回目の測距（ｉ＝１のとき）が行われたが（Ｓ４４；Ｙ、Ｓ３６〜Ｓ４２；ｉ＝１）、全測距エリアで被写体までの距離が求められなかったときには（Ｓ４６；Ｙ）、測距エラー処理を実行してメインフローチャートに戻る（Ｓ４７）。なお、測距エラー処理では、例えば主要被写体が存在する確率の高い所定の距離（例えば２ｍ）に合焦するようにレンズ駆動データ（ＬＬデータ）を設定する。
一方、第１回目の測距（ｉ＝０のとき）においていずれかの測距エリアで被写体までの距離が求められたとき（Ｓ４２；ｉ＝０、Ｓ４３、Ｓ４４；Ｎ、Ｓ４６；Ｎ）、または第１回目の測距（ｉ＝０のとき）においていずれの測距エリアについても被写体までの距離が求められなかったが第２回目の測距（ｉ＝１）においていずれかの測距エリアについて被写体までの距離が求められたときは（Ｓ４２；ｉ＝０、Ｓ４３、Ｓ４４；Ｎ、Ｓ３９〜４２；ｉ＝１、Ｓ４６；）、Ｓ４１のステップで選択された測距データをレンズ駆動データ（ＬＬデータ）に変換し、ＣＰＵ１００は、このレンズ駆動データに基づいてフォーカス駆動回路６０を動作させフォーカスモータ６２を動かして被写体に合焦させる（Ｓ４８）。
【００３２】
以上の実施の形態では、いわゆるマルチ測距によって得られた距離データの中から最短距離を選択したが、二番目に近い距離、あるいは中間の距離などを選択する構成としてもよい。いずれの場合も、選択した距離とEEPROM１０２に記憶させた到達距離とを比較する。
また、測距された被写体距離が非常に近い場合、例えば１．５ｍ以内の被写体に合焦した場合は、撮影者以外の被写体に合焦している確率が高いので、この場合もレリーズロックする構成にできる。この場合は、その近距離データをEEPROM１０２に記憶させ、図５のステップＳ８と同様に、近距離データよりも近いかどうかを比較して、近い場合にはレリーズロックする構成にすればよい。
【００３３】
【発明の効果】
請求項１記載の発明では、測距手段によって測距された被写体までの距離が記憶手段に記憶されているリモコンから送られるリモコン信号の到達可能距離よりも大きい場合には、リモコン信号の有無に拘らず、前記撮影手段を強制的に不作動として前記被写体の撮影を制限するようにしたので、撮影者が意図しないリモコンからのリモコン信号が届かないような距離にある被写体に合焦した撮影を防止できる。
請求項２記載の発明では、制限手段を機能させるか機能させないかを選択するモードスイッチを設けているので、モードスイッチのＯＮ、ＯＦＦによって必要に応じた選択ができるようになる。
請求項３記載の発明では、いわゆるマルチ測距において、選択した被写体までの距離がリモコン信号の到達距離よりも遠い場合には制限手段を機能させるので、撮影者が意図しない、リモコンからのリモコン信号が届かないような距離にある被写体に合焦した撮影を防止できる。
請求項４記載の発明では、無限遠に合焦させる遠景モードに設定されている場合には、前記制限手段は、その機能が停止するようにしているので、遠景を入れた記念撮影なども支障なくできるようになる。
請求項５記載の発明では、制限手段が前記撮影手段を強制的に不作動としている状態を表示する表示手段を設けているので、リモコンを操作している人はカメラの状態をこの表示手段によって容易に知ることができ、自分の立ち位置を調整しながらリモコン撮影できるようになる。
【図面の簡単な説明】
【図１】  本発明のカメラの制御装置が搭載されたカメラの外観図であり、（Ａ）はそのカメラの正面を、（Ｂ）はそのカメラの上面を、（Ｃ）はそのカメラの背面をそれぞれ示す図である。
【図２】  リモコンの外観図である。
【図３】  本発明に係るカメラの制御装置の具体的な構成を示すブロック図である。
【図４】  本発明に係るカメラの制御装置の概略の動作説明に供する図である。
【図５】  本発明に係るカメラの制御装置のメインフローチャートを示す図である。
【図６】  図５のメインフローチャートの内の測距処理のサブルーチンをフローチャートで示す図である。
【符号の説明】
１０  カメラ
１３  測光窓
１４  リモコン受光部
１６  セルフランプ
１８  パッシブＡＦセンサ部
２０  ＡＦ補助投光部
２４  レリーズボタン
２６  モードスイッチ
３０  緑ランプ
４０  リモコン
４２  押しボタン
５３  マルチＡＦセンサ
５５  分割測光センサ
１００  ＣＰＵ
【図１】
0004021067.tif 000002
【図２】
0004021067.tif 000003
【図３】
0004021067.tif 000004
【図４】
0004021067.tif 000005
【図５】
0004021067.tif 000006
【図６】
0004021067.tif 000007